(57)【要約】    【課題】本発明は、物の出し入れが容易で、体裁も良く、防犯上の効果も発揮し、便利で実用的価値の高いデザイン性に優れた蓋部付き鞄を提供することを目的とする。    【解決手段】本発明に係る蓋部付き鞄Ａは、前壁部２０と後壁部３０と底部４０と左右襠部５０、５１と天部６０とで囲まれた収納部１０と、蓋部７０とを有する鞄であって、天部には、蓋部により開閉する収納部の主開口部６１と、蓋部を閉じた状態でも開閉可能な収納部の補助開口部６２とが設けられている。蓋部は、その基部７０ａが天部のほぼ中央から立ち上がり、主開口部を覆って前壁部に達する構成をなす。補助開口部は、後壁部と蓋部基部とのほぼ中間位置であって、上端３０ａが天部より高く形成された後壁部と蓋部の基部との間に形成される窪み６０ａの最下位置に設けられており、該補助開口部を開閉するスライドファスナ６２ａが設けられていることを特徴とする。    【選択図】        図１
2008018193.tif 000002
【特許請求の範囲】
【請求項１】
前壁部と後壁部と底部と左右襠部と天部とで囲まれた収納部と、蓋部とを有する鞄であって、
天部には、蓋部により開閉する収納部の主開口部と、蓋部を閉じた状態でも開閉可能な収納部の補助開口部とが設けられている
ことを特徴とする蓋部付き鞄。
【請求項２】
蓋部は、その基部が天部のほぼ中央から立ち上がり、主開口部を覆って前壁部に達する構成をなし、補助開口部は、後壁部と蓋部基部とのほぼ中間位置に設けられていて、該補助開口部を開閉する開閉具が設けられていることを特徴とする請求項１に記載の蓋部付き鞄。
【請求項３】
後壁部の上端が天部より高く形成され、後壁部と蓋部の基部との間に形成される窪みの最下位置に補助開口部が設けられていることを特徴とする請求項２に記載の蓋部付き鞄。
【請求項４】
補助開口部を開閉する開閉具がスライドファスナであることを特徴とする請求項２又は３に記載の蓋部付き鞄。
【発明の詳細な説明】
【技術分野】
【０００１】
本発明は、蓋部により収納部の開口部を開閉する鞄の改良に関し、特に収納部の開閉が便利である蓋部付き鞄に関する。
【背景技術】
【０００２】
昨今、海外ブランドの日本市場への進出及び拡大が著しく増大している。このようなマーケットの中において、日本生産の鞄における技術やデザイン性が優れているにもかかわらず、その認知度が低いために、消費者は単なる名声だけで海外ブランドの鞄に惹き付けられているのが実情である。
【発明の開示】
【発明が解決しようとする課題】
【０００３】
上記の実情に鑑み、本発明者は、開発を重ねた結果としての鞄のグローバル化を視野に入れた鞄を開発した。すなわち、キャリアを持ち、働く女性が増えた現代において、日常、手に持つ物のとしての鞄の多くが一過性の流行的で装飾的な要素の多い中、本発明者は、普遍的な鮮度と機能とを併せ持つ鞄を開発した。
【０００４】
本開発のポイントは、蓋部を開閉せずに出し入れし易くした収納部分を作る技術を生かしたデザイン性に優れた鞄を開発したところにあり、この作りにより、蓋部が開かないように鍵を掛けた状態でも鞄内の収納物の出し入れが可能になり、盗難などに対する防御も可能とした鞄を開発したところにある。
【０００５】
具体的には、従来の蓋部付き鞄が、蓋部を開け閉めすることにより収納部の開口部を開閉する構造になっており、物の出し入れをする際には、常にその都度、蓋部を開かなければならず、不便であった。
【０００６】
そこで本発明者は、鋭意研究を重ね、物の出し入れが容易な開口部を備えた蓋部付き鞄を開発した。
【課題を解決するための手段】
【０００７】
本発明に係る蓋部付き鞄は、前壁部と後壁部と底部と左右襠部と天部とで囲まれた収納部と、蓋部とを有する鞄であって、天部には、蓋部により開閉する収納部の主開口部と、蓋部を閉じた状態でも開閉可能な収納部の補助開口部とが設けられていることを特徴とするものである。
【０００８】
このように構成すると、鞄に物を収納する際に、蓋部を開けて主開口部から出し入れすることができ、また、蓋部は閉じたままで、補助開口部から出し入れすることができる。したがって、物の出し入れに際し、必要に応じて、蓋部を開けて主開口部から出し入れする場合と、補助開口部から出し入れする場合と適宜選択できるので、本発明に係る蓋部付き鞄は機能的に極めて便利なものとなる。
【０００９】
また、上記蓋部付き鞄において、蓋部は、その基部が天部のほぼ中央から立ち上がり、主開口部を覆って前壁部に達する構成をなし、補助開口部は、後壁部と蓋部基部とのほぼ中間位置に設けられていて、該補助開口部を開閉する開閉具が設けられている構成としてもよい。
【００１０】
さらに、上記蓋部付き鞄において、後壁部の上端が天部より高く形成され、後壁部と蓋部の基部との間に形成される窪みの最下位置に補助開口部が設けられている構成としてもよい。
【００１１】
このように構成したことにより、補助開口部が外部から目立たなくなり、鞄としての体裁が大きく向上し、本発明に係る蓋部付き鞄はデザイン的に優れたものとなる。
【発明の効果】
【００１２】
上記した本発明に係る蓋部付き鞄は、物の出し入れが極めて容易となり、体裁も良く、防犯上の効果も発揮する、便利で実用的価値及びデザイン性を向上させた鞄である。
【発明を実施するための最良の形態】
【００１３】
以下に、本発明に係る蓋部付き鞄（以下、単に「鞄」という。）について好適な実施例を添付の図面に基づいて詳述する。
【実施例１】
【００１４】
図１は本実施例に係る鞄を正面上方側から見た斜視図であり、図２は該鞄を側面上方から見た斜視図であり、図３は該鞄の蓋部を開けた状態を上方から見た平面図であり、図４は図３において、仕切壁を開けた状態を上方から見た平面図であり、図５は該鞄の蓋部を閉じ、補助開口部を開けた状態を上方から見た平面図であり、図６は該鞄の裏ポケットを開けた状態を示す斜視図である。
【００１５】
本実施例に係る鞄Ａは、その材質がソフトな皮革製で作成されるものであって、図１及び図２に示すように、主として収納部１０と蓋部７０とから構成される。
【００１６】
収納部１０は、その外形が前壁部２０と後壁部３０と底部４０と左襠部５０及び右襠部５１と天部６０とから構成され、前壁部２０には提げ手２１が設けられ、この提げ手２１と対をなす提げ手３１が後壁部３０に設けられている。また、前壁部２０の正面中央には、先端部２２ａを大きく形成した回転軸２２が設けられており、後述する蓋部７０の締めバンド７１先端に設けた縦穴係止具７１ａに回転軸２２の先端部２２ａを通過させて、先端部２２ａを回転させることにより、締めバンド７１が回転軸２２に結合できるようになっている。また、図６に示すように、後壁部３０の中央部には、スライドファスナ３２ａにより開閉可能な開口部３２ｂと袋部３２ｃとからなる小物入れ用のポケット３２が設けられており、開口部３２ｂのみが後壁部３０に表れ、袋部３２ｃが後壁部３０の内側に位置して外面からは見えないようになっている。このポケット３２は収納部１０とは別個の収納空間であって、収納部１０とは連続していない構成である。
【００１７】
収納部１０における天部６０には、主開口部６１と補助開口部６２とが設けられており、主開口部６１及び補助開口部６２はいずれも収納部１０内にアクセスすることを可能とするものであり、物の出し入れを可能とするものである。主開口部６１は、図３に示すように、蓋部７０を開け閉めすることにより開閉する構造になっており、補助開口部６２は、図５に示すように、スライドファスナ６２ａにより開閉する構造になっている。本実施例に係る鞄Ａは、前述したようにソフトな皮革製であるため、補助開口部６２も大きく開口して物の出し入れがし易く構成されている。
【００１８】
収納部１０内には、図３及び図４に示すように、隣接する２枚の仕切壁１１、１２が、左襠部５０から右襠部５１までの間を差し渡して設けられている。この仕切壁１１、１２には、その上端部の対抗位置に互いに係着し合う雌雄のホック１１ａ、１２ａが設けられていて、このホック１１ａ、１２ａを外すと、図４に示すように、仕切壁１１、１２の間に、大きく開口する収納空間が形成されるようになっている。また、仕切壁１１には、仕切壁１２の逆側に、サイドポケット１１ｂが設けられており、スライドファスナ１１ｃによりその開口部１１ｄが開閉するようになっている。
【００１９】
蓋部７０は、その基部７０ａが天部６０のほぼ中央から立ち上がるように形成され、蓋部７０を前壁部２０側に被せると主開口部６１を覆って、前壁部２０に達する。なお、蓋部７０の先端には、２個所の切り込み７２、７３が設けられており、該切り込み７２、７３により蓋部７０は提げ手２１を体裁良くかわして前壁部２０側に垂下するようになっている。このように蓋部７０は、主開口部６１を開閉するものであり、その閉塞状態において、蓋部の基部７０ａ付近に接着されている締めバンド７１を蓋部７０に掛け、その先端の縦穴係止具７１ａに前壁部２０の回転軸２２の先端部２２ａを通過させて、その先端部２２ａを回転させると、締めバンド７１の縦穴係止具７１ａは回転軸２２に係着して結合するようになっている。このように構成すれば、蓋部７０が不用意に開放して、主開口部６１が開口してしまうようなことがない。なお、回転軸２２の先端部２２ａは、貫通孔２２ｂを有する環状に形成されており、この貫通孔２２ｂに錠を掛けて、回転軸２２の先端部２２ａが縦穴係止具７１ａから抜けないようにすれば蓋部７０を開くことができなくなり、防犯上の効果がある。そして、締めバンド７１の縦穴係止具７１ａと前壁部２０の回転軸２２との結合を外し、蓋部７０を開ければ、図３に示すように、主開口部６１が開口し、収納部１０内にアクセス可能となるので、物の出し入れが可能となる。
【００２０】
補助開口部６２は、後壁部３０と蓋部の基部７０ａとのほぼ中間位置に設けられていて、該補助開口部６２を開閉する開閉具としてスライドファスナ６２ａを採用しており、このスライドファスナ６２ａのつまみ手６２ｂを左右に移動させることにより補助開口部６２が開閉するようにになっている。補助開口部６２を開口すると、上記の蓋部７０を開いて主開口部６１を開いたときと同様に、収納部１０内にアクセスすることが可能となり、収納部１０に対して物の出し入れが可能となる。
【００２１】
このように蓋部７０を開いた場合には、図３に示すように、主開口部６１が開口し、また、蓋部７０を閉じたままでもスライドファスナ６２ａを操作すれば、図４に示すように、補助開口部６２が開口するので、鞄Ａに対する物の出し入れに手間がかからず、迅速に行うことができて便利である。
【００２２】
また、本実施例においては、図２に示すように、後壁部３０の上端３１が天部６０よりも高く形成されており、天部６０はその一端がこの後壁部３０の上端３０ａに接着されて降下し、蓋部の基部７０ａ付近から上昇して、蓋部７０に連続するように構成されている。そして、補助開口部６２は、後壁部３０と蓋部の基部７０ａとの間に形成される天部６０の窪み６０ａの最下位置に設けられている。
【００２３】
このように構成すると、補助開口部６２が外部から目立たなくなり、鞄としての体裁が向上する。また、補助開口部６２が外部から見えないため、防犯上の効果も発揮できる。
【００２４】
以上のように本実施例に係る鞄Ａは、物の出し入れが容易であり、体裁も良く、かつ、防犯上の効果も発揮し、便利で実用的価値が高く、デザイン性に優れた鞄である。
【図面の簡単な説明】
【００２５】
【図１】本実施例に係る鞄を正面上方から見た斜視図である。
【図２】本実施例に係る鞄を側面上方から見た斜視図である。
【図３】本実施例に係る鞄の蓋部を開けた状態を上方から見た平面図である。
【図４】図３において、中仕切を開けた状態を上方から見た平面図である。
【図５】本実施例に係る鞄の蓋部を閉じ、補助開口部を開けた状態を上方から見た平面図である。
【図６】本実施例に係る鞄の裏ポケットを開けた状態を示す斜視図である。
【符号の説明】
【００２６】
Ａ・・・・鞄                  １０・・・収納部
１１・・・仕切壁              １１ａ・・ホック
１１ｂ・・サイドポケット      １１ｃ・・スライドファスナ
１１ｄ・・開口部              １２・・・仕切壁
１２ａ・・ホック              ２０・・・前壁部
２１・・・提げ手              ２２・・・回転軸
２２ａ・・回転軸の先端部      ２２ｂ・・貫通孔
３０・・・後壁部              ３０ａ・・後壁部の上端
３１・・・提げ手              ３２・・・ポケット
３２ａ・・スライドファスナ    ３２ｂ・・開口部
３２ｃ・・袋部                ４０・・・底部
５０・・・左襠部              ５１・・・右襠部
６０・・・天部                ６０ａ・・天部の窪み
６１・・・主開口部            ６２・・・補助開口部
６２ａ・・スライドファスナ    ６２ｂ・・つまみ手
７０・・・蓋部                ７０ａ・・蓋部の基部
７１・・・締めバンド          ７１ａ・・縦穴係止具
７２・・・切り込み            ７３・・・切り込み
【図１】
2008018193.tif 000003
【図２】
2008018193.tif 000004
【図３】
2008018193.tif 000005
【図４】
2008018193.tif 000006
【図５】
2008018193.tif 000007
【図６】
2008018193.tif 000008